(57)【要約】【課題】使用者が意識することなく外部から情報を取得でき、また、外部からの情報に基づいて特定の動作を開始できる通信端末装置、通信端末装置における発光パターンの受光方法、通信端末装置のプログラムを提供する。【解決手段】外部からの光の発光パターンを受光して、受光した発光パターンに応じて他のアプリケーションを起動させる受光手段１０４を備える。受光手段１０４は、待ち受けアプリケーション１０５の機能の一部として設けられている。よって、受光手段１０４は、使用者によって意識的に動作の開始及び終了が行われることなく、待ち受けアプリケーション１０５と共に自動的に動作を開始し、動作を終了する。【選択図】図２
2011055392.tif 000002
【特許請求の範囲】
【請求項１】
電波を用いる通信機能を備えた通信端末装置であって、
外部からの光の発光パターンを受光して、受光した発光パターンに応じて他のアプリケーションを起動させる光信号受信手段を備え、
前記光信号受信手段は、使用者によって意識的に動作の開始及び終了が行われることなく、予め定められた動作条件に合致したときに自動的に動作を開始し、前記動作条件に合致しないときに自動的に動作を終了すること、
を特徴とする通信端末装置。
【請求項２】
請求項１に記載の通信端末装置において、
前記光信号受信手段は、
外部からの光の発光パターンを受光する受光手段と、
前記受光手段が特定の発光パターンを受光したことを検出するパターン検出手段と、
前記受光手段が受光した前記特定の発光パターンに応じて起動すべき前記他のアプリケーションを関連付けるパターン解析手段と、
を備え、
前記光信号受信手段が動作を行わないときには、前記受光手段と前記パターン検出手段と前記パターン解析手段とのうちの少なくとも一つの動作を停止すること、
を特徴とする通信端末装置。
【請求項３】
請求項１又は請求項２に記載の通信端末装置において、
前記光信号受信手段は、待ち受けアプリケーションが起動するときに動作を開始し、前記待ち受けアプリケーションが終了するときに動作を停止すること、
を特徴とする通信端末装置。
【請求項４】
請求項３に記載の通信端末装置において、
前記光信号受信手段は、前記待ち受けアプリケーションの機能の一部として設けられていること、
を特徴とする通信端末装置。
【請求項５】
請求項１又は請求項２に記載の通信端末装置において、
筐体の少なくとも一部は、使用形態と収納形態との間で移動可能に設けられており、
前記光信号受信手段は、前記筐体の少なくとも一部が前記収納形態から前記使用形態へと移動したときに動作を開始し、前記筐体の少なくとも一部が前記使用形態から前記収納形態へと移動したときに動作を終了すること、
を特徴とする通信端末装置。
【請求項６】
請求項１又は請求項２に記載の通信端末装置において、
複数の操作部材を備えており、
前記光信号受信手段は、前記複数の操作部材のうちの少なくとも一つが操作されたときに動作を開始すること、
を特徴とする通信端末装置。
【請求項７】
請求項１から請求項６までのいずれか１項に記載の通信端末装置において、
前記光信号受信手段は、当該光信号受信手段の動作とは異なる他の動作からの経過時間に応じて動作を終了すること、
を特徴とする通信端末装置。
【請求項８】
請求項１から請求項８までのいずれか１項に記載の通信端末装置において、
前記光信号受信手段は、前記他のアプリケーションを起動したときに動作を終了すること、
を特徴とする通信端末装置。
【請求項９】
請求項１から請求項８までのいずれか１項に記載の通信端末装置において、
前記光信号受信手段は、可視光による発光パターンを受光すること、
を特徴とする通信端末装置。
【請求項１０】
請求項１から請求項８までのいずれか１項に記載の通信端末装置において、
前記光信号受信手段は、赤外光による発光パターンを受光すること、
を特徴とする通信端末装置。
【請求項１１】
電波を用いる通信機能を備えた通信端末装置における発光パターンの受光方法であって、
外部からの光の発光パターンを受光して、受光した発光パターンに応じて他のアプリケーションを起動させる光信号受信ステップを備え、
前記光信号受信ステップは、使用者によって意識的に動作の開始及び終了が行われることなく、予め定められた動作条件に合致したときに自動的に動作を開始し、前記動作条件に合致しないときに自動的に動作を終了すること、
を特徴とする通信端末装置における発光パターンの受光方法。
【請求項１２】
電波を用いる通信機能を備えた通信端末装置に用いられるプログラムであって、
通信端末装置のコンピュータを、外部からの光の発光パターンを受光して、受光した発光パターンに応じて他のアプリケーションを起動させる光信号受信手段として機能させ、
前記光信号受信手段は、使用者によって意識的に動作の開始及び終了が行われることなく、予め定められた動作条件に合致したときに自動的に動作を開始し、前記動作条件に合致しないときに自動的に動作を終了すること、
を特徴とする通信端末装置のプログラム。
【発明の詳細な説明】
【技術分野】
【０００１】
本発明は、携帯電話等の通信端末装置、通信端末装置における発光パターンの受光方法、通信端末装置のプログラムに関するものである。
【背景技術】
【０００２】
携帯電話端末のように携帯可能な通信端末装置が普及するにつれて、本来の通信機能とは別に、外部から通信端末装置に対して各種情報を送り、通信端末装置に情報等を表示させたいという要求が生じている。
【０００３】
外部から情報を伝達する手法として、光を特定の発光パターンによって発光させ、その発光パターンを読み取ることにより情報を取得する光通信技術が知られている（例えば、特許文献１、及び、非特許文献１）。特許文献１、及び、非特許文献１に開示されている技術では、照明等の可視光に情報を重畳し、パーソナルコンピュータ（ＰＣ）のような可搬装置に情報識別手段を設けて、可視光に重畳された情報を取得している。
【先行技術文献】
【特許文献】
【０００４】
【特許文献１】特開２００８−２０４４２３号公報
【特許文献２】特許第３５７４４５２号
【非特許文献】
【０００５】
【非特許文献１】鈴木修司、「可視光通信の現状と展望」、情報処理、情報処理学会、２００９年５月、Ｖｏｌ５０、Ｎｏ．５、Ｐ４１８−Ｐ４２５
【発明の概要】
【発明が解決しようとする課題】
【０００６】
しかし、光通信を受信して情報の取得等を行うためには、発光パターンを受信して解析等を行うための機能（以下、光信号受信機能とする）を動作させておく必要があった。例えば、利用者が自ら能動的に操作を行う等により、光信号受信機能の動作を開始させる必要があり、使い勝手がよくないという問題があった。
【０００７】
また、光信号受信機能を動作させるために利用者に能動的な操作をさせない場合には、光信号受信機能を常時動作させる必要がある。したがって、そのような場合には、発光パターンを受光する必要がないときにも常に電力を消費し、携帯性を高めた小型のバッテリーを用いる装置のように、給電量に制限がある機器への適用が困難であるという問題があった。
【０００８】
一方、特許文献２には、受動モジュール側の電力が，空間を介して能動モジュールから供給されることにより、受動モジュール側における情報検出のための受信待機が不要であり、情報検出を行うための常時給電を不要とした非接触伝送装置が開示されている。
【０００９】
特許文献２の技術では、外部からの電磁波による電源用電力を機器内の動作を行う契機としているが、安全上の理由や法規制上の理由等から電磁波をあまり強力にすることができない。したがって、機器間の距離に制限があり、信号の発信側の電磁ヘッドと受信側の電磁ヘッドとを近接させる必要があった。よって、使用者が自ら情報を取得するように行動する能動的な情報取得が必要であるという問題があった。
【００１０】
本発明の課題は、使用者が意識することなく外部から情報を取得でき、また、外部からの情報に基づいて特定の動作を開始できる通信端末装置、通信端末装置における発光パターンの受光方法、通信端末装置のプログラムを提供することである。
【課題を解決するための手段】
【００１１】
本発明は、上記の課題を解決するために、以下の事項を提案している。なお、理解を容易にするために、本発明の実施形態に対応する符号を付して説明するが、これに限定されるものではない。
【００１２】
（１）本発明は、電波を用いる通信機能を備えた通信端末装置（１００）であって、外部からの光の発光パターンを受光して、受光した発光パターンに応じて他のアプリケーションを起動させる光信号受信手段（１０４，１０６，１０８）を備え、前記光信号受信手段は、使用者によって意識的に動作の開始及び終了が行われることなく、予め定められた動作条件に合致したときに自動的に動作を開始し、前記動作条件に合致しないときに自動的に動作を終了することを特徴とする通信端末装置を提案している。
【００１３】
この発明によれば、光信号受信手段は、外部からの光の発光パターンを受光して、受光した発光パターンに応じて他のアプリケーションを起動させる。また、光信号受信手段は、使用者によって意識的に動作の開始及び終了が行われることなく、予め定められた動作条件に合致したときに自動的に動作を開始し、動作条件に合致しないときに自動的に動作を終了する。したがって、使用者が意識することなく外部から情報を取得でき、また、外部からの情報に基づいて特定の動作を開始できる。
【００１４】
（２）本発明は、（１）に記載の通信端末装置において、前記光信号受信手段（１０６）は、外部からの光の発光パターンを受光する受光手段（１０４）と、前記受光手段が特定の発光パターンを受光したことを検出するパターン検出手段（１０６）と、前記受光手段が受光した前記特定の発光パターンに応じて起動すべき前記他のアプリケーションを関連付けるパターン解析手段（１０７）とを備え、前記光信号受信手段が動作を行わないときには、前記受光手段と前記パターン検出手段と前記パターン解析手段とのうちの少なくとも一つの動作を停止することを特徴とする通信端末装置を提案している。
【００１５】
この発明によれば、受光手段は、外部からの光の発光パターンを受光する。パターン検出手段は、受光手段が特定の発光パターンを受光したことを検出する。パターン解析手段は、受光手段が受光した特定の発光パターンに応じて起動すべき他のアプリケーションを関連付ける。光信号受信手段が動作を行わないときには、受光手段とパターン検出手段とパターン解析手段とのうちの少なくとも一つの動作を停止する。したがって、通信端末装置の構成に応じて停止させる機能を適宜設定することにより、無駄なくかつ効果的に消費電力の削減を行える。
【００１６】
（３）本発明は、（１）又は（２）に記載の通信端末装置において、前記光信号受信手段（１０４，１０６，１０８）は、待ち受けアプリケーション（１０５）が起動するときに動作を開始し、前記待ち受けアプリケーションが終了するときに動作を停止することを特徴とする通信端末装置を提案している。
【００１７】
この発明によれば、光信号受信手段は、待ち受けアプリケーションが起動するときに動作を開始し、待ち受けアプリケーションが終了するときに動作を停止する。したがって、使用者が通信端末装置を使用しているときにのみ光信号受信手段の動作を行わせることができ、消費電力を低減できると共に、発光パターンに応じて起動するアプリケーションの存在を使用者に認知されやすくできる。
【００１８】
（４）本発明は、（３）に記載の通信端末装置において、前記光信号受信手段（１０４，１０６，１０８）は、前記待ち受けアプリケーション（１０５）の機能の一部として設けられていることを特徴とする通信端末装置を提案している。
【００１９】
この発明によれば、光信号受信手段は、待ち受けアプリケーションの機能の一部として設けられている。したがって、待ち受けアプリケーションと共に動作の開始及び停止を行うことができる。
【００２０】
（５）本発明は、（１）又は（２）に記載の通信端末装置において、筐体（１０１，１０２）の少なくとも一部は、使用形態と収納形態との間で移動可能に設けられており、前記光信号受信手段（１０４，１０６，１０８）は、前記筐体の少なくとも一部が前記収納形態から前記使用形態へと移動したときに動作を開始し、前記筐体の少なくとも一部が前記使用形態から前記収納形態へと移動したときに動作を終了することを特徴とする通信端末装置を提案している。
【００２１】
この発明によれば、筐体の少なくとも一部は、使用形態と収納形態との間で移動可能に設けられている。光信号受信手段は、筐体の少なくとも一部が収納形態から使用形態へと移動したときに動作を開始し、筐体の少なくとも一部が使用形態から収納形態へと移動したときに動作を終了する。したがって、使用者が通信端末装置を使用する可能性の高いときに、光信号受信手段が動作を行うことができる。
【００２２】
（６）本発明は、（１）又は（２）に記載の通信端末装置において、複数の操作部材（１０１ａ）を備えており、前記光信号受信手段（１０４，１０６，１０８）は、前記複数の操作部材のうちの少なくとも一つが操作されたときに動作を開始することを特徴とする通信端末装置を提案している。
【００２３】
この発明によれば、光信号受信手段は、複数の操作部材のうちの少なくとも一つが操作されたときに動作を開始する。したがって、使用者が通信端末装置を使用する可能性の高いときに、光信号受信手段が動作を行うことができる。
【００２４】
（７）本発明は、（１）から（６）までのいずれか１項に記載の通信端末装置において、前記光信号受信手段（１０４，１０６，１０８）は、当該光信号受信手段の動作とは異なる他の動作からの経過時間に応じて動作を終了することを特徴とする通信端末装置を提案している。
【００２５】
この発明によれば、光信号受信手段は、光信号受信手段の動作とは異なる他の動作からの経過時間に応じて動作を終了する。したがって、通信端末装置が何らかの動作を行ってからのタイマーカウントによって、自動的に光信号受信手段の動作を終了でき、電力消費を抑えることができる。
【００２６】
（８）本発明は、（１）から（８）までのいずれか１項に記載の通信端末装置において、前記光信号受信手段（１０４，１０６，１０８）は、前記他のアプリケーションを起動したときに動作を終了することを特徴とする通信端末装置を提案している。
【００２７】
この発明によれば、光信号受信手段は、他のアプリケーションを起動したときに動作を終了する。したがって、光信号の受信を契機として他のアプリケーションに動作を移すことができる。
【００２８】
（９）本発明は、（１）から（８）までのいずれか１項に記載の通信端末装置において、前記光信号受信手段（１０４，１０６，１０８）は、可視光による発光パターンを受光することを特徴とする通信端末装置を提案している。
【００２９】
この発明によれば、光信号受信手段は、可視光による発光パターンを受光する。したがって、可視光を利用した発光パターンを受光できる。
【００３０】
（１０）本発明は、（１）から（８）までのいずれか１項に記載の通信端末装置において、前記光信号受信手段（１０４，１０６，１０８）は、赤外光による発光パターンを受光することを特徴とする通信端末装置を提案している。
【００３１】
この発明によれば、光信号受信手段は、赤外光による発光パターンを受光する。したがって、赤外光を利用した発光パターンを受光できる。
【００３２】
（１１）本発明は、電波を用いる通信機能を備えた通信端末装置における発光パターンの受光方法であって、外部からの光の発光パターンを受光して、受光した発光パターンに応じて他のアプリケーションを起動させる光信号受信ステップ（Ｓ１０〜Ｓ５０）を備え、前記光信号受信ステップは、使用者によって意識的に動作の開始及び終了が行われることなく、予め定められた動作条件に合致したときに自動的に動作を開始し、前記動作条件に合致しないときに自動的に動作を終了することを特徴とする通信端末装置における発光パターンの受光方法を提案している。
【００３３】
この発明によれば、光信号受信ステップでは、外部からの光の発光パターンを受光して、受光した発光パターンに応じて他のアプリケーションを起動させる。また、光信号受信ステップでは、使用者によって意識的に動作の開始及び終了が行われることなく、予め定められた動作条件に合致したときに自動的に動作を開始し、前記動作条件に合致しないときに自動的に動作を終了する。したがって、使用者が意識することなく外部から情報を取得でき、また、外部からの情報に基づいて特定の動作を開始できる。
【００３４】
（１２）本発明は、電波を用いる通信機能を備えた通信端末装置に用いられるプログラムであって、通信端末装置のコンピュータを、外部からの光の発光パターンを受光して、受光した発光パターンに応じて他のアプリケーションを起動させる光信号受信手段（１０４，１０６，１０８）として機能させ、前記光信号受信手段は、使用者によって意識的に動作の開始及び終了が行われることなく、予め定められた動作条件に合致したときに自動的に動作を開始し、前記動作条件に合致しないときに自動的に動作を終了することを特徴とする通信端末装置のプログラムを提案している。
【００３５】
この発明によれば、光信号受信手段は、通信端末装置のコンピュータを、外部からの光の発光パターンを受光して、受光した発光パターンに応じて他のアプリケーションを起動させる。また、光信号受信手段は、使用者によって意識的に動作の開始及び終了が行われることなく、予め定められた動作条件に合致したときに自動的に動作を開始し、前記動作条件に合致しないときに自動的に動作を終了する。したがって、使用者が意識することなく外部から情報を取得でき、また、外部からの情報に基づいて特定の動作を開始できる。
【発明の効果】
【００３６】
本発明によれば、使用者が意識することなく外部から情報を取得でき、また、外部からの情報に基づいて特定の動作を開始できる。
【図面の簡単な説明】
【００３７】
【図１】本発明による通信端末装置１００の実施形態を示す図である。
【図２】通信端末装置１００の内部構成のうち、光受光によるアプリケーション起動までを抜粋した図である。
【図３】受光手段１０４をより詳細に説明する図である。
【図４】本実施形態の通信端末装置１００の発光パターン検出に関する動作を示すフローチャートである。
【発明を実施するための形態】
【００３８】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３９】
（実施形態）
図１は、本発明による通信端末装置１００の実施形態を示す図である。
本実施形態の通信端末装置１００は、電波を用いた通信機能を備えた携帯電話機であり、電波を用いた通信機能とは別に、発光装置２００からの光通信を受信可能である。
【００４０】
本実施形態の通信端末装置１００は、第１筐体１０１と第２筐体１０２とを備えている。第１筐体１０１には、操作キー１０１ａが設けられている。第２筐体１０２には、表示部１０２ａと、光センサ部１０４ａが設けられている。第１筐体１０１と第２筐体１０２とは、ヒンジ部１０３を介して折りたたみ可能に接続されており、図１に示した使用形態と、折りたたんだ不図示の収納形態との間で移動可能である。光センサ部１０４ａは、図１に示した使用形態では、外部に露呈されて外部からの光を受光することができるが、折りたたんだ状態では、第１筐体１０１に覆われて外部からの光が届かないようになっている。
【００４１】
図２は、通信端末装置１００の内部構成のうち、光受光によるアプリケーション起動までを抜粋した図である。
通信端末装置１００は、受光手段１０４と、待ち受けアプリケーション１０５と、パターン検出手段１０６と、パターン解析手段１０７と、アプリケーション記憶部１０８とを備えている。
【００４２】
受光手段１０４は、光センサ部１０４ａとドライバ１０４ｂとを備えており、外部の発光装置２００が発光する光の発光パターンを受光して、受光した発光パターンに応じて他のアプリケーションを起動させる。ここで、発光パターンとは、ごく短時間の間に瞬間的な発光が連続して繰り返されるときに、発光している時間の長さと発光していない時間の長さとを組み合わせたパターンを指している。
【００４３】
図３は、受光手段１０４をより詳細に説明する図である。
光センサ部１０４ａは、図３に示すように、受光素子Ｔｒ１、スイッチ素子Ｔｒ２、抵抗Ｒ１，Ｒ２，Ｒ３により回路が形成されている。なお、スイッチ素子Ｔｒ２は、例えば、トランジスタのような性質を持つ半導体により構成するとよい。
【００４４】
発光パターンの検出を行わない場合には、端子Ｔ１には、ドライバ１０４ｂから電圧は印加されていない。したがって、スイッチ素子Ｔｒ２は、電流を流さないので、受光素子Ｔｒ１にも電流は流れず、消費電力はゼロである。
【００４５】
発光パターンの検出を行う場合には、端子Ｔ１には、ドライバ１０４ｂから電圧が印加される。したがって、スイッチ素子Ｔｒ２は、電流を流すことが可能となり、受光素子Ｔｒ１は、発光パターンの受光に応じて電流を流すことができ、端子Ｔ２には、受光素子Ｔｒ１で受光した発光パターンに応じた電圧変化が生じ、受信信号として取得できる。
なお、本実施形態の光センサ部１０４ａは、発光パターンの検出の他に、通信端末装置１００が存在する環境の明るさ（環境光の輝度）を検出する機能も備えている。この機能により検出された環境の明るさは、表示部１０２ａの明るさ調整に用いたり、操作キー１０１ａの照明を点灯するか否かの判断に用いたりする。
【００４６】
図２に戻って、待ち受けアプリケーション１０５は、通信端末装置１００が使用者の操作や着信等を待ち受けている状態（以下、待ち受け状態）で起動するアプリケーションである。待ち受けアプリケーション１０５は、表示部１０２ａを用いて、使用者に電波状況や日時等の各種情報を表示したり、写真やキャラクタ等を表示したりする。待ち受けアプリケーション１０５は、第１筐体１０１と第２筐体１０２とを開いた使用形態で起動し、第１筐体１０１と第２筐体１０２とを折りたたんだ収納形態になると終了する。また、待ち受けアプリケーション１０５は、筐体が使用形態にあっても、使用者による操作が一定時間以上行われないときには、終了する。このように、待ち受けアプリケーション１０５は、必要なときにのみ動作するので、無駄な電力消費を抑えることができる。
【００４７】
パターン検出手段１０６は、待ち受けアプリケーション１０５が有する機能の一部として設けられている。したがって、パターン検出手段１０６は、待ち受けアプリケーション１０５が起動しているときにのみ動作を行う。
パターン検出手段１０６は、待ち受けアプリケーション１０５が起動すると同時に動作を開始し、ドライバ１０４ｂを介して光センサ部１０４ａに対して検出開始の指示（電圧の印加）を行う。
【００４８】
光センサ部１０４ａが発光パターンの検出を行っている間、パターン検出手段１０６は、受光手段１０４から受信信号を取得する。
パターン検出手段１０６は、受光手段１０４から受信信号を取得すると、その受信信号に特定の発光パターンの信号が含まれているか否かを判断する。具体的には、パターン検出手段１０６は、パターン解析手段１０７を参照して、受信した信号がパターン解析手段１０７に記憶されている特定の発光パターンと一致するか否かを判断する。ここで、パターン解析手段１０７に記憶されている特定の発光パターンとは、後述するアプリケーション記憶部１０８に記憶されているアプリケーションとの関連付けが行われている発光パターンである。そして、パターン検出手段１０６は、受光手段１０４から取得した受信信号に、特定の発光パターンの信号が含まれているときには、その発光パターンに関連付けられたアプリケーションに対して、起動するように要求を行う。
【００４９】
また、パターン検出手段１０６は、待ち受けアプリケーション１０５が終了すると同時に動作を終了するが、動作を終了するときには、ドライバ１０４ｂを介して光センサ部１０４ａに対して行っていた電圧の印加も停止する（検出停止の指示）。
【００５０】
パターン解析手段１０７は、特定の発光パターンを、アプリケーション記憶部１０８に記憶されている複数のアプリケーション毎に関連付けて記憶している。例えば、ある発光パターン（発光パターンＡとする）は、テレビジョン放送受信アプリケーションと関連付けられ、別の発光パターン（発光パターンＢとする）は、発光パターン中に情報として含められているアドレスのｗｅｂページに接続を行うｗｅｂ接続アプリケーションと関連付けられている。なお、パターン解析手段１０７は、パターン検出手段１０６の動作開始と共に動作を開始し、パターン検出手段１０６の動作終了と共に動作を終了する。
【００５１】
アプリケーション記憶部１０８は、複数のアプリケーションを記憶しており、記憶している複数のアプリケーションのうちいくつかは、パターン解析手段１０７において、それぞれ特定の発光パターンと関連付けられている。
【００５２】
上述した受光手段１０４と、パターン検出手段１０６と、パターン解析手段１０７とにより、発光パターンにより送られる情報を受信する光信号受信手段が形成されている。ここで、上述したように、パターン検出手段１０６は、待ち受けアプリケーション１０５が有する機能の一部として設けられている。パターン検出手段１０６は、受光手段１０４及びパターン解析手段１０７を制御しているので、光信号受信手段の機能は、待ち受けアプリケーション１０５が有する機能の一部として設けられていることになる。
【００５３】
図４は、本実施形態の通信端末装置１００の発光パターン検出に関する動作を示すフローチャートである。
ステップ（以下、Ｓとする）１０では、パターン検出手段１０６が起動するとともに、発光パターンの検出を開始する。このとき、パターン検出手段１０６は、上述したように、受光手段１０４に対して検出開始の指示（電圧の印加）を行う。
【００５４】
Ｓ２０では、パターン検出手段１０６は、何らかの発光パターンを受光したか否かの判断を行う。何らかの発光パターンを受光したときには、Ｓ３０に進み、未だ発光パターンを受光していないときには、このＳ２０を繰り返して、発光パターンの検出を続ける。
【００５５】
Ｓ３０では、パターン検出手段１０６は、パターン解析手段１０７を参照する。
【００５６】
Ｓ４０では、パターン検出手段１０６は、パターン解析手段１０７を参照した結果、特定の発光パターン（アプリケーションと関連付けられた発光パターン）が検出されたか否かの判断を行う。特定の発光パターンが検出されたときには、Ｓ５０へ進み、特定の発光パターンが検出されないときには、Ｓ２０へ戻る。
【００５７】
Ｓ５０では、パターン検出手段１０６は、検出された特定の発光パターンと関連付けられたアプリケーションを起動するための起動要求を生成する。この起動要求を受けたアプリケーションは、起動して、そのアプリケーションの動作を開始する。また、アプリケーションの起動と同時に、パターン検出手段１０６の機能を含む待ち受けアプリケーション１０５は、終了する。
【００５８】
以上説明したように、本実施形態によれば、発光パターンの検出に関する動作は、待ち受けアプリケーション１０５が動作中にのみ行われる。よって、無駄な消費電力を抑えることができる。ノート型パーソナルコンピュータ等では、比較的大型のバッテリーが搭載されていることから、発光パターンの検出を常時行うことも可能であった。しかし、本実施形態のような携帯電話では、小型のバッテリーしか搭載されておらず、発光パターンを常時検出してしまうと、携帯電話の使用可能時間が大幅に短縮されてしまうおそれがあった。しかし、本実施形態によれば、発光パターン検出及びその利用に関する利便性を大きく損なうことなく、消費電力を大幅に低減できる。また、使用者に意識させることなく必要なときに発光パターン検出を開始させることができる。さらに、使用者に気づいて貰いやすいタイミングで、特定の発光パターンによってアプリケーションを自動的に起動できる。
【００５９】
なお、通信端末装置の処理をコンピュータ読み取り可能な記録媒体に記録し、この記録媒体に記録されたプログラムを通信端末装置に読み込ませ、実行することによって本発明の通信端末装置、通信端末装置における発光パターンの受光方法を実現することができる。ここでいうコンピュータシステムとは、ＯＳや周辺装置等のハードウェアを含む。
【００６０】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６１】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００６２】
以上、この発明の実施形態につき、図面を参照して詳述してきたが、具体的な構成はこの実施形態に限られるものではなく、この発明の要旨を逸脱しない範囲の設計等も含まれる。
【００６３】
（変形形態）
（１）本実施形態において、通信端末装置として携帯電話を例に挙げて説明した。しかし、これに限らず、例えば、通信機能を有したノート型パーソナルコンピュータやゲーム機等、他の形態の通信端末装置であってもよい。
【００６４】
（２）本実施形態において、折りたたみ可能な筐体を有する携帯電話を例に挙げて説明した。しかし、これに限らず、例えば、２つに分かれた筐体同士が相対的にスライド移動可能に形成された携帯電話であってもよいし、操作部材のみを覆う蓋部材が移動可能に形成された携帯電話であってもよい。また、移動可能な筐体部分が設けられていなくともよい。
【００６５】
（３）本実施形態において、パターン検出手段１０６は、待ち受けアプリケーション１０５の機能の一部として設けられている例を挙げて説明した。しかし、これに限らず、例えば、待ち受けアプリケーション１０５とは独立した機能として設けてもよい。この場合、例えば、待ち受けアプリケーションの開始及び終了とともに、パターン検出手段が動作を開始及び停止してもよいし、待ち受けアプリケーションとは異なる動作条件を設定して、異なるタイミングで動作の開始及び終了を行うようにしてもよい。
【００６６】
（４）本実施形態において、受光手段１０４が動作を行わないときには、光センサ部１０４ａとパターン検出手段１０６とパターン解析手段１０７の全てが動作を停止する例を挙げて説明した。しかし、これに限らず、例えば、これらのうちの少なくとも一つの動作を停止するようにしてもよい。
【００６７】
（５）本実施形態において、パターン検出手段１０６は、待ち受けアプリケーション１０５と共に動作の終了を行う例を挙げて説明した。しかし、これに限らず、例えば、特定のキー操作が行われる等、パターン検出手段１０６の動作とは異なる他の動作からの経過時間（タイマーカウント）に応じて動作を終了してもよい。
【００６８】
なお、本実施形態及び変形形態は、適宜組み合わせて用いることもできるが、詳細な説明は省略する。
【符号の説明】
【００６９】
１００  通信端末装置
１０１  第１筐体
１０１ａ  操作キー
１０２  第２筐体
１０２ａ  表示部
１０３  ヒンジ部
１０４  受光手段
１０４ａ  光センサ部
１０４ｂ  ドライバ
１０５  待ち受けアプリケーション
１０６  パターン検出手段
１０７  パターン解析手段
１０８  アプリケーション記憶部
【図１】
2011055392.tif 000003
【図２】
2011055392.tif 000004
【図３】
2011055392.tif 000005
【図４】
2011055392.tif 000006